(57)【要約】      （修正有）【課題】撮像面全体での高い光学性能の点で有利な、エクステンダレンズ群を有するズームレンズを提供する【解決手段】ズームレンズは、物体側から像側へ順に、合焦のために光軸上を移動する合焦レンズ群と、変倍のために光軸上を移動する変倍レンズ群と、リレーレンズ群と、を有し、以上のレンズ群のうち互いに隣接するレンズ群の各組の間隔は、変倍のために変化し、変倍レンズ群とリレーレンズ群との間、またはリレーレンズ群内に開口絞りを有し、リレーレンズ群は、その光路に関して挿抜可能なエクステンダレンズ群ＵＥＸＴを有し、エクステンダレンズ群は屈折率およびアッベ数が所定の条件を満足する負レンズを含むことを特徴とする。【選択図】図１
2020042062.tif 000002
【特許請求の範囲】
【請求項１】
物体側から像側へ順に、合焦のために光軸上を移動する合焦レンズ群と、変倍のために光軸上を移動する変倍レンズ群と、リレーレンズ群と、を有するズームレンズであって、
以上のレンズ群のうち互いに隣接するレンズ群の各組の間隔は、変倍のために変化し、
前記変倍レンズ群と前記リレーレンズ群との間、または前記リレーレンズ群内に開口絞りを有し、
前記リレーレンズ群は、その光路に関して挿抜可能なエクステンダレンズ群を有し、
前記エクステンダレンズ群に含まれる物体側からｍ番目のレンズの屈折率およびアッベ数をそれぞれＮｍおよびνｍとして、前記エクステンダレンズ群は、
２．５５＜Ｎｍ＋０．０４４１２×νｍ＜４．２０
２．０１５＜Ｎｍ＜２．２００
なる条件式を満足する負レンズＬｍを含むことを特徴とするズームレンズ。
但し、アッベ数νｄは、Ｆ線（４８６．１ｎｍ）、ｄ線（５８７．６ｎｍ）およびＣ線（６５６．３ｎｍ）における屈折率をそれぞれＮＦ、ＮｄおよびＮＣとして、
νｄ＝（Ｎｄ−１）／（ＮＦ−ＮＣ）
なる式で表される。
【請求項２】
前記負レンズＬｍの焦点距離をｆｍとし、前記エクステンダレンズ群に含まれる正レンズの焦点距離の平均値をｆｐａｖｅとして、
０．１＜｜ｆｍ／ｆｐａｖｅ｜＜１．５
なる条件式を満足する前記負レンズＬｍを含むことを特徴とする請求項１に記載のズームレンズ。
【請求項３】
前記エクステンダレンズ群に含まれる負レンズの屈折率の平均値をＮｎａｖｅとして、
１．８０＜Ｎｎａｖｅ＜２．０５
なる条件式を満足することを特徴とする請求項１又は２に記載のズームレンズ。
【請求項４】
前記エクステンダレンズ群に含まれるレンズのうち、最も物体側に配置された正レンズの焦点距離をｆｐｏｂｊとし、最も像側に配置された負レンズの焦点距離をｆｎｉｍｇとして、
０．３＜｜ｆｐｏｂｊ／ｆｎｉｍｇ｜＜４．０
なる条件式を満足することを特徴とする請求項１乃至３のうちいずれか１項に記載のズームレンズ。
【請求項５】
前記エクステンダレンズ群は、物体側から像側へ順に、少なくとも１枚の正レンズと、接合レンズとを含むことを特徴とする請求項１乃至４のうちいずれか１項に記載のズームレンズ。
【請求項６】
前記エクステンダレンズ群に含まれる正レンズのうち、最も物体側に配置された正レンズの屈折率と、最も物体側から２番目に配置された正レンズの屈折率との平均値をＮｐｏとして、
１．４５０＜Ｎｐｏ＜１．５５２
なる条件式を満足することを特徴とする請求項１乃至５のうちいずれか１項に記載のズームレンズ。
【請求項７】
前記エクステンダレンズ群に含まれる最も物体側に配置されたレンズの、物体側のレンズ面の曲率半径をＲ１１とし、像側のレンズ面の曲率半径をＲ１２として、
−１．５＜（Ｒ１２＋Ｒ１１）／（Ｒ１２−Ｒ１１）＜２．５
なる条件式を満足することを特徴とする請求項１乃至６のうちいずれか１項に記載のズームレンズ。
【請求項８】
前記エクステンダレンズ群の最も物体側のレンズ面の頂点から、前記エクステンダレンズ群の最も像側のレンズ面の頂点までの光軸上の距離をＬとし、前記エクステンダレンズ群に含まれる物体側からｍ番目の負レンズの焦点距離をｆｎｍとして、
０．１＜｜Ｌ／ｆｎｍ｜＜５．０
なる条件式を満足することを特徴とする請求項１乃至７のうちいずれか１項に記載のズームレンズ。
【請求項９】
前記リレーレンズ群は、防振のために偏心可能な前群と、正の屈折力を有する後群とを含み、
前記エクステンダレンズ群は、前記前群より像側の光路に関して挿抜される、
ことを特徴とする請求項１乃至８のうちいずれか１項に記載のズームレンズ。
【請求項１０】
ズームレンズのリレーレンズ群中の光路に関して挿抜されるエクステンダレンズ群であって、
前記エクステンダレンズ群に含まれる物体側からｍ番目のレンズの屈折率およびアッベ数をそれぞれＮｍおよびνｍとして、前記エクステンダレンズ群は、
２．５５＜Ｎｍ＋０．０４４１２×νｍ＜４．２０
２．０１５＜Ｎｍ＜２．２００
なる条件式を満足する負レンズＬｍを含むことを特徴とするエクステンダレンズ群。
但し、アッベ数νｄは、Ｆ線（４８６．１ｎｍ）、ｄ線（５８７．６ｎｍ）およびＣ線（６５６．３ｎｍ）における屈折率をそれぞれＮＦ、ＮｄおよびＮＣとして、
νｄ＝（Ｎｄ−１）／（ＮＦ−ＮＣ）
なる式で表される。
【請求項１１】
請求項１乃至９のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズに関するものである。
【背景技術】
【０００２】
放送用テレビカメラやビデオカメラ、写真用カメラ、映画撮影用カメラ等のための、エクステンダ内臓の撮像装置には、高ズーム比および高い光学性能を有するズームレンズが要望されている。広い焦点距離範囲を有するズームレンズとして、内蔵エクステンダ方式のものが知られている。内蔵エクステンダ方式は、リレーレンズ群内の空間に、またはリレーレンズ群中の一部のレンズ群の替わりに、エクステンダレンズ群を挿抜して、ズームレンズの焦点距離範囲を変更する方式である。
【０００３】
特許文献１および２は、２／３型の撮像素子を有する放送用テレビカメラのための内臓エクステンダ方式のズームレンズを開示している。
【先行技術文献】
【特許文献】
【０００４】
【特許文献１】特許第５８０９２７８号公報
【特許文献２】特開２０１６−９９３９６号公報
【発明の概要】
【発明が解決しようとする課題】
【０００５】
特許文献１のズームレンズは、エクステンダレンズ群中の負レンズの屈折率が低いため、像面湾曲の補正が十分とはいえない。
【０００６】
特許文献２は、エクステンダレンズ群の構成をペッツバール和の補正に適したものとしているものの、負レンズの硝材の選択により、更に像面湾曲を補正する余地がある。
【０００７】
本発明は、例えば、撮像面全体での高い光学性能の点で有利な、エクステンダレンズ群を有するズームレンズを提供することを目的とする。
【課題を解決するための手段】
【０００８】
上記目的を達成するため、本発明のズームレンズは、物体側から像側へ順に、合焦のために光軸上を移動する合焦レンズ群と、変倍のために光軸上を移動する変倍レンズ群と、リレーレンズ群と、を有するズームレンズであって、上のレンズ群のうち互いに隣接するレンズ群の各組の間隔は、変倍のために変化し、前記変倍レンズ群と前記リレーレンズ群との間、または前記リレーレンズ群内に開口絞りを有し、前記リレーレンズ群は、その光路に関して挿抜可能なエクステンダレンズ群を有し、前記エクステンダレンズ群に含まれる物体側からｍ番目のレンズの屈折率およびアッベ数をそれぞれＮｍおよびνｍとして、前記エクステンダレンズ群は、
２．５５＜Ｎｍ＋０．０４４１２×νｍ＜４．２０
２．０１５＜Ｎｍ＜２．２００
なる条件式を満足する負レンズＬｍを含むことを特徴とするズームレンズ。
但し、アッベ数νｄは、Ｆ線（４８６．１ｎｍ）、ｄ線（５８７．６ｎｍ）およびＣ線（６５６．３ｎｍ）における屈折率をそれぞれＮＦ、ＮｄおよびＮＣとして、
νｄ＝（Ｎｄ−１）／（ＮＦ−ＮＣ）
なる式で表される。
【発明の効果】
【０００９】
本発明によれば、例えば、撮像面全体での高い光学性能の点で有利な、エクステンダレンズ群を有するズームレンズを提供することができる。
【図面の簡単な説明】
【００１０】
【図１】実施例１〜５のエクステンダレンズ群挿入前のズームレンズの広角端、無限遠合焦時の断面図
【図２】実施例１〜５のエクステンダレンズ群挿入前のズームレンズの（Ａ）広角端、（Ｂ）焦点距離３４１ｍｍ、（Ｃ）望遠端における無限遠合焦時の縦収差図
【図３】実施例１のエクステンダレンズ群の断面図
【図４】実施例１のエクステンダレンズ群挿入時のズームレンズの（Ａ）広角端、（Ｂ）焦点距離６８２ｍｍ、（Ｃ）望遠端における無限遠合焦時の縦収差図
【図５】実施例２のエクステンダレンズ群の断面図
【図６】実施例２のエクステンダレンズ群挿入時のズームレンズの（Ａ）広角端、（Ｂ）焦点距離８５２ｍｍ、（Ｃ）望遠端における無限遠合焦時の縦収差図
【図７】実施例３のエクステンダレンズ群の断面図
【図８】実施例３のエクステンダレンズ群挿入時のズームレンズの（Ａ）広角端、（Ｂ）焦点距離１０２３ｍｍ、（Ｃ）望遠端における無限遠合焦時の縦収差図
【図９】実施例４のエクステンダレンズ群の断面図
【図１０】実施例４のエクステンダレンズ群挿入時のズームレンズの（Ａ）広角端、（Ｂ）焦点距離５１２ｍｍ、（Ｃ）望遠端における無限遠合焦時の縦収差図
【図１１】実施例５のエクステンダレンズ群の断面図
【図１２】実施例５のエクステンダレンズ群挿入時のズームレンズの（Ａ）広角端、（Ｂ）焦点距離５１２ｍｍ、（Ｃ）望遠端における無限遠合焦時の縦収差図
【図１３】実施例６、７のエクステンダレンズ群挿入前のズームレンズ無限遠合焦時の断面図
【図１４】実施例６、７のエクステンダレンズ群挿入前のズームレンズの（Ａ）広角端、（Ｂ）焦点距離２８ｍｍ、（Ｃ）望遠端における無限遠合焦時の縦収差図
【図１５】実施例６のエクステンダレンズ群の断面図
【図１６】実施例６のエクステンダレンズ群挿入時のズームレンズの（Ａ）広角端、（Ｂ）焦点距離５６ｍｍ、（Ｃ）望遠端における無限遠合焦時の縦収差図
【図１７】実施例７のエクステンダレンズ群の断面図
【図１８】実施例７のエクステンダレンズ群挿入時のズームレンズの（Ａ）広角端、（Ｂ）焦点距離５６ｍｍ、（Ｃ）望遠端における無限遠合焦時の縦収差図
【図１９】実施例８、９のエクステンダレンズ群挿入前のズームレンズ無限遠合焦時の断面図
【図２０】実施例８、９のエクステンダレンズ群挿入前のズームレンズの（Ａ）広角端、（Ｂ）焦点距離３２８ｍｍ、（Ｃ）望遠端における無限遠合焦時の縦収差図
【図２１】実施例８、９のエクステンダレンズ群挿入前のズームレンズの望遠端、無限遠合焦時の、（Ａ）防振群が非偏心時、（Ｂ）防振群を２．１１ｍｍだけ光軸に対して垂直方向へ偏芯したときの横収差図
【図２２】実施例８のエクステンダレンズ群の断面図
【図２３】実施例８のエクステンダレンズ群挿入時のズームレンズの（Ａ）広角端、（Ｂ）焦点距離６５６ｍｍ、（Ｃ）望遠端における無限遠合焦時の縦収差図
【図２４】実施例８のエクステンダレンズ群挿入時のズームレンズの望遠端、無限遠合焦時の、（Ａ）防振群が非偏心時、（Ｂ）防振群を２．１１ｍｍだけ光軸に対して垂直方向へ偏芯したときの横収差図
【図２５】実施例９のエクステンダレンズ群の断面図
【図２６】実施例９のエクステンダレンズ群挿入時のズームレンズの（Ａ）広角端、（Ｂ）焦点距離６５６ｍｍ、（Ｃ）望遠端における無限遠合焦時の縦収差図
【図２７】実施例９のエクステンダレンズ群挿入時のズームレンズの望遠端、無限遠合焦時の、（Ａ）防振群が非偏心時、（Ｂ）防振群を２．１１ｍｍだけ光軸に対して垂直方向へ偏芯したときの横収差図
【図２８】本発明の撮像装置の要部概略図
【発明を実施するための形態】
【００１１】
以下に、本発明の好ましい実施の形態を、添付の図面に基づいて詳細に説明する。
各レンズ断面図において、左方が被写体（物体）側（前方）で、且つ、撮像光学系側であり、右方が像側（後方）である。
【実施例１】
【００１２】
図１は本発明の実施例１のエクステンダレンズ群挿入前のズームレンズの広角端、無限遠合焦時の断面図である。後述の実施例２〜５についても同様である。
【００１３】
本発明の実施例１〜５のズームレンズは、Ｕ１はズーミングのためには移動しない正の屈折力の第１レンズ群（フォーカスレンズ群）である。無限遠から近距離側への合焦時に第１レンズ群Ｕ１の一部のレンズ群が物体側へ移動する。Ｕ２は広角端（短焦点距離端）から望遠端（長焦点距離端）へのズーミングに際して像側へ移動する負の屈折力の第２レンズ群である。Ｕ３は第２レンズ群Ｕ２に連動して移動し、変倍に伴う像面変動を補正する正の屈折力の第３レンズ群である。第２レンズ群Ｕ２と第３レンズ群Ｕ３とで変倍レンズ群を構成する。ＳＰは開口絞りである。Ｕ４は正の屈折力の第４レンズ群であり、物体側から順に第４１レンズ群（前群）Ｕ４１、光路中から挿抜可能な第４２レンズ群Ｕ４２、正の屈折力を有する第４３レンズ群（後群）Ｕ４３から構成される。図１中のリレー部第４２レンズ群Ｕ４２を光路中から退避させ、第４１レンズ群Ｕ４１と第４３レンズ群間Ｕ４３の光路中にエクステンダレンズ群ＵＥＸＴを挿入することで、全系の焦点距離範囲を長焦点側へシフトできる。第４レンズ群Ｕ４は主変倍のためには不動であるが、ズーミング時に固定であるか、または他のレンズ群や絞りの駆動に伴って第４レンズ群Ｕ４全体または一部を微小駆動させる機能を有しても良い。ＩＰは像面であり、固体撮像素子（光電変換素子）の撮像面に相当する。なお、互いに隣接するレンズ群同士の光軸上の間隔はいずれも変倍のために変化する。
【００１４】
次に、実施例１〜５のエクステンダレンズ群ＵＥＸＴ挿入前の各群レンズ構成の説明をする。レンズ構成の説明は物体側より順に行う。
【００１５】
第１レンズ群Ｕ１は負レンズ、正レンズ、正レンズ、正レンズ、正レンズの計５枚で構成されている。合焦に際し、最も像側の３枚の正レンズが移動する。第２レンズ群Ｕ２は負レンズ１枚、負レンズと正レンズの接合レンズ、負レンズで構成されている。第３レンズ群Ｕ３は正レンズ、正レンズ、負レンズと正レンズの接合レンズ、正レンズで構成されている。第４１レンズ群Ｕ４１は負レンズ、正レンズ、負レンズで構成されている。第４２レンズ群Ｕ４２は負レンズと正レンズの接合レンズ、正レンズで構成されている。第４３レンズ群Ｕ４３は正レンズ、負レンズと正レンズの接合レンズ、正レンズと負レンズの接合レンズ、正レンズで構成されている。
【００１６】
図３は実施例１のエクステンダレンズ群ＵＥＸＴの断面図である。エクステンダレンズ群ＵＥＸＴ挿入前の第４２レンズ群Ｕ４２が退避した空間にエクステンダレンズ群ＵＥＸＴが挿入されている。エクステンダレンズ群ＵＥＸＴは両凸の正レンズ、物体側に凸面を向けた正メニスカスレンズと物体側に凸面を向けた負メニスカスレンズの接合レンズ、物体側に凸面を向けた負メニスカスレンズと両凸の正レンズの接合レンズ、両凹の負レンズで構成されている。
【００１７】
一般に内蔵エクステンダ付ズームレンズでは、エクステンダレンズ群ＵＥＸＴに対し略アフォーカルに入射する軸上光線を、エクステンダレンズ群ＵＥＸＴ中の物体側のレンズで収斂状態にし、焦点距離変位に必要な分だけ光線高さを落とした後に、エクステンダレンズ群ＵＥＸＴ中の像側のレンズで略アフォーカルとして射出する。従って、エクステンダレンズ群ＵＥＸＴ全系の屈折力は小さく、近軸配置を考えればエクステンダレンズ群中物体側に正の屈折力を付与し、かつ像側に負の屈折力を付与することが必須である。また、光線を略アフォーカルとして出射するには、光線高さの低い位置に配置される負の屈折力を強くする必要があり、エクステンダレンズ群ＵＥＸＴ中でのペッツバール和は負に大きくなりやすい。このため、エクステンダレンズ群ＵＥＸＴの挿入時には、像面湾曲が悪化しやすい特徴がある。
【００１８】
本発明の内蔵エクステンダ付ズームレンズは、ズームレンズの一部を構成するリレーレンズ群の光路中に挿抜されることにより、ズームレンズの焦点距離範囲を長焦点側に変位させるエクステンダレンズ群ＵＥＸＴを有する。該エクステンダレンズ群に含まれる物体側からｍ番目のレンズの屈折率およびアッベ数をそれぞれＮｍおよびνｍとして、前記エクステンダレンズ群ＵＥＸＴは、
２．５５＜Ｎｍ＋０．０４４１２×νｍ＜４．２０  （１）
２．０１５＜Ｎｍ＜２．２００  （２）
なる条件式を満足する負レンズＬｍを含むことを特徴とする。但し、アッベ数νｄは、フラウンフォーファ線のＦ線（４８６．１ｎｍ）、ｄ線（５８７．６ｎｍ）、Ｃ線（６５６．３ｎｍ）における屈折率をそれぞれＮＦ、Ｎｄ、ＮＣとして、
νｄ＝（Ｎｄ−１）／（ＮＦ−ＮＣ）
なる式で定義される。
【００１９】
条件式（１）はエクステンダレンズ群ＵＥＸＴ内に含まれるレンズの屈折率、アッベ数の関係式を規定している。条件式（２）は前記エクステンダレンズ群ＵＥＸＴ内に含まれるレンズの屈折率の条件を規定している。
条件式（１）、（２）を満たす負レンズを配置することにより、色収差を良好に保ちながらペッツバール和を補正し、像面湾曲を良好に抑制することが可能となる。
【００２０】
条件式（１）の上限を超えると、負レンズに低分散かつ高屈折率の硝材を選択することとなり、軸上色収差の１次の色消し条件から正レンズに対しても低分散かつ高屈折率の硝材を選択する必要性を生じる。このとき、軸上色収差を良好に補正できる正レンズの選択範囲が、低分散でありながら高屈折率側に傾きすぎるため、軸上色収差補正に適切な硝材の正レンズに選択することが困難となり、色収差補正が不足する。
【００２１】
条件式（１）の下限を超えると、硝材の屈折率が低くなりすぎるため、ペッツバール和の補正が不足し、像面湾曲補正が不十分となる。
また、現存する光学材料は、アッベ数νｄに対する屈折率Ｎｄの分布は傾向をもつ。アッベ数が小さいほど屈折率が高く、アッベ数が大きいほど屈折率が低い。
【００２２】
条件式（２）の上限を超えると、条件式（１）から高屈折率のレンズに対して分散の大きい硝材を使用することとなり、色収差補正が困難となる。条件式（２）の下限を超えると、ペッツバール和の補正が不足し、像面湾曲補正が不十分となる。
【００２３】
本発明の更なる実施態様として、条件式（１）、（２）を満たす負レンズが、該負レンズの焦点距離を規定する条件式（３）を満足することが望ましい。
０．１＜｜ｆｍ／ｆｐａｖｅ｜＜１．５  ・・・（３）
【００２４】
ただし、エクステンダレンズ群中の条件式（１）、（２）を満たす各負レンズＬｍの焦点距離をｆｍ、エクステンダレンズ群中に含まれる正レンズの焦点距離の平均値をｆｐａｖｅとする。条件式（３）を満たすことで、エクステンダレンズ群内で強い屈折力を持つ負レンズに対して、高屈折率の硝材を使用することになり、ペッツバール和補正に更に好適なレンズ構成とすることが可能である。条件式（３）の上限を超えると、条件式（１）、（２）を満たす高屈折率の負レンズの屈折力が小さくなり、高屈折率硝材使用によるペッツバール和補正効果を十分得られない。条件式（４）の下限を超えると、負レンズの屈折力が大きくなりすぎ、諸収差の補正が困難となる。
【００２５】
本発明の更なる実施態様として、負レンズの屈折率を規定する条件式（４）を満足することが望ましい。
１．８０＜Ｎｎａｖｅ＜２．０５  ・・・（４）
【００２６】
ただし、エクステンダレンズ群中の負レンズの屈折率の平均値をＮｎａｖｅとする。条件式（４）を満たすことで、負の屈折力をもつレンズの屈折率を高くとることになり、ペッツバール和を補正に有利な構成となる。条件式（４）の上限を超えると、条件式（４）の上限を超えるような硝材は、一般に分散が大きいため、負レンズ全てに分散の大きい硝材を使用することとなり、色収差補正が不足する。条件式（４）の下限を超えると、負レンズの屈折率が低くなるため、ペッツバール和の補正が不足する。
【００２７】
本発明の更なる実施態様として、エクステンダレンズ群中で最も物体側に配置された正の屈折力を有するレンズ成分と、最も像側に配置された負の屈折力を有するレンズ成分が、それぞれの焦点距離の関係を規定する条件式（５）を満足することが好ましい。
０．３＜｜ｆｐｏｂｊ／ｆｎｉｍｇ｜＜４．０  ・・・（５）
【００２８】
ただし、前記正の屈折力を有するレンズ成分の焦点距離をｆｐｏｂｊ、前記負の屈折力を有するレンズ成分の焦点距離をｆｎｉｍｇとする。またレンズ成分とは、単レンズまたは接合レンズを示す。条件式（５）を満たすことで、エクステンダレンズ群の全長の抑制に適したレンズ構成とすることが可能である。条件式（５）の上限を超えると、最も像側に配置された負の屈折力を有するレンズ成分の屈折力が強くなり過ぎ、諸収差の良好な補正が困難となる。条件式（５）の下限を超えると、最も像側に配置された負の屈折力を有するレンズ成分の屈折力が弱くなり過ぎるため、同等のエクステンダ倍率を実現するために負レンズの主点をより像側に配置する必要が生じ、レンズ全長が増大し過ぎる。
【００２９】
本発明の更なる実施態様として、物体側から順に少なくとも１枚以上の正レンズ、正レンズと負レンズの接合レンズを配置することが望ましい。内蔵エクステンダでは、物体側の軸上光束が高くなることが必然であるため、物体側に正レンズと、正レンズと負レンズの接合レンズを配置することで軸上色収差の補正に有利な構成としている。
【００３０】
本発明の更なる実施態様として、エクステンダレンズ群中で最も物体側に配置された２枚の正レンズの屈折力を規定する条件式（６）を満足することが望ましい。
１．４５０＜Ｎｐｏ＜１．５５２  ・・・（６）
【００３１】
ただし、最も物体側に配置された正レンズの屈折率と、最も物体側から２番目の正レンズの屈折率の平均値をＮｐｏとする。内蔵エクステンダでは、物体寄りに配置される正レンズは、レンズ全長の短縮のために比較的大きな屈折力を有する。従って、物体寄りに配置される正レンズに対して屈折率の低い硝材を選択することでペッツバール和の補正に有利になる。条件式（６）を満たすことで、ペッツバール和を更に良好に補正することが可能である。条件式（６）の上限を超えると、正レンズの屈折率が高くなり過ぎるため、ペッツバール和の良好な補正が困難となる。条件式（６）の下限を超えると、軸上光線高さの高い物体寄りの正レンズの曲率がきつくなり過ぎるため、球面収差の良好な補正が困難となる。
【００３２】
本発明の更なる実施態様として、エクステンダレンズ群中で最も物体側に配置された正レンズのレンズ形状を規定する条件式（７）を満足することが望ましい。
−１．５＜（Ｒ１２＋Ｒ１１）／（Ｒ１２−Ｒ１１）＜２．５  ・・・（７）
【００３３】
ただし最も物体側に配置されたレンズの物体側のレンズ面の曲率半径をＲ１１、像側のレンズ面の曲率半径をＲ１２とする。条件式（７）を満たすことで、最も物体側の正レンズで軸上光線の高さを効率的に低くでき、レンズ全長の短縮に有利な構成となる。条件式（７）の上限を超えると、最も物体側の正レンズの形状のメニスカス形状が顕著となるため、該正レンズでのペッツバール和補正を十分得られず、像面湾曲補正が困難となる。条件式（７）の下限を超えると、最も物体側の正レンズで軸上光線の高さを十分下げられず、より像側で軸上光線の高さを低くすることが必要な構成となり、レンズ全長の短縮に不適な構成となる。
【００３４】
本発明の更なる実施態様として、エクステンダレンズ群中の負レンズが、焦点距離を規定する条件式（８）を満足することが望ましい。
０．１＜｜Ｌ／ｆｎｍ｜＜５．０  ・・・（８）
【００３５】
ただし光軸上で、エクステンダレンズ群中の最も物体側のレンズ面頂点から、最も像側のレンズ面頂点までの距離をＬ、エクステンダレンズ群に含まれる物体側からｍ番目のレンズの焦点距離をｆｎｍとする。条件式（８）を満たすことで、エクステンダレンズ群中のレンズの屈折力を抑制し、曲率半径を緩くすることで、諸収差の補正に有利な構成とできる。条件式（８）の上限を超えると、エクステンダレンズ群中のレンズの焦点距離が短くなりすぎ、曲率半径がきつくなりすぎるため、諸収差の補正が困難となる。条件式（８）の下限を超えると、エクステンダレンズ群中の各レンズの焦点距離が長くなりすぎ、所望のエクステンダ倍率を実現するために必要なレンズ全長が長くなり、小型化の達成が困難となる。
【００３６】
更に好ましくは条件式（１）乃至（８）の数値範囲を次の如く設定することが好ましい。
２．６０＜Ｎｍ＋０．０４４１２×νｍ＜３．７５  ・・・（１ａ）
２．０２０＜Ｎｍ＜２．１６０  ・・・（２ａ）
０．１５＜｜ｆｍ／ｆｐａｖｅ｜＜０．９５  ・・・（３ａ）
１．８＜Ｎｎａｖｅ＜２．０４  ・・・（４ａ）
１．０＜｜ｆｐｏｂｊ／ｆｎｉｍｇ｜＜３．５  ・・・（５ａ）
１．４８０＜Ｎｐｏ＜１．５５２  ・・・（６ａ）
−１．０＜（Ｒ１２＋Ｒ１１）／（Ｒ１２−Ｒ１１）＜１．４  ・・・（７ａ）
０．１５＜｜Ｌ／ｆｎｍ｜＜２．０  ・・・（８ａ）
【００３７】
図２にエクステンダレンズ群挿入前のズームレンズの（Ａ）広角端、（Ｂ）焦点距離３４１ｍｍ、（Ｃ）望遠端における無限遠合焦時の縦収差図を示す。図４に実施例１のエクステンダレンズ群挿入時のズームレンズの（Ａ）広角端、（Ｂ）焦点距離６８２ｍｍ、（Ｃ）望遠端における無限遠合焦時の縦収差図を示す。縦収差図において球面収差における直線と一点鎖線は各々ｅ線、ｇ線である。非点収差における点線と実線は各々メリディオナル像面，サジタル像面であり、倍率色収差における一点鎖線は各々ｇ線である。ωは半画角、ＦｎｏはＦナンバーである。縦収差図では、球面収差は１．０ｍｍ、非点収差は１．０ｍｍ、歪曲は１０％、倍率色収差は０．１０ｍｍのスケールで描かれている。これらは、後述の各実施例においても同様である。
【００３８】
実施例１は、エクステンダ倍率２．０倍のズームレンズである。実施例１に対応する数値実施例１の数値データを後述の数値実施例１に示す。ｒは各面の曲率半径、ｄは各面間隔、ｎｄ及びνｄは各光学部材のｄ線基準の屈折率及びアッベ数である。ｉは物体側からの面の順序を示し、ｒｉは物体側より第ｉ番目の面の曲率半径、ｄｉは物体側より第ｉ面と第ｉ＋１面との間隔、ｎｄｉ、νｄｉは第ｉ面と第ｉ＋１面との間の光学媒体の屈折率とアッベ数である。ＢＦは空気換算のバックフォーカスである。最後の３つの面は、フィルタ等のガラスブロックである。
【００３９】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０をそれぞれ非球面係数としたとき、次式で表している。また、「ｅ−Ｚ」は「×１０−Ｚ」を意味する。これらは後述の各数値実施例においても同様である。
【数１】
2020042062.tif 000003
【００４０】
表１に数値実施例１の各条件式の対応値を示す。
数値実施例１は条件式（１）〜（８）の何れも満足しており、小型軽量かつ画面中心から周辺まで高い光学性能を達成している。
【実施例２】
【００４１】
図５に実施例２のエクステンダレンズ群の断面図を示す。
実施例２は、エクステンダ倍率２．５倍のズームレンズである。エクステンダレンズ群は物体側から順に両凸の正レンズ、両凸の正レンズ、物体側に凸面を向けた正メニスカスレンズと物体側に凸面を向けた負メニスカスレンズの接合レンズ、両凹の負レンズと両凸の正レンズの接合レンズ、像側に凸面を向けた負メニスカスレンズより構成される。
【００４２】
図６に実施例２のエクステンダレンズ群挿入時のズームレンズの（Ａ）広角端、（Ｂ）焦点距離８５２ｍｍ、（Ｃ）望遠端における無限遠合焦時の縦収差図を示す。また、実施例２に対応する数値実施例２の数値データを後述の数値実施例２に示す。
【００４３】
表１に数値実施例２の各条件式の対応値を示す。
数値実施例２は条件式（１）〜（８）の何れも満足しており、小型軽量かつ画面中心から周辺まで高い光学性能を達成している。
【実施例３】
【００４４】
図７に実施例３のエクステンダレンズ群の断面図を示す。
実施例３は、エクステンダ倍率３．０倍のズームレンズである。エクステンダレンズ群は物体側から順に両凸の正レンズ、物体側に凸面を向けた正メニスカスレンズと物体側に凸面を向けた負メニスカスレンズの接合レンズ、物体側に凸面を向けた負メニスカスレンズと物体側に凸面を向けた正メニスカスレンズの接合レンズ、像側に凸面を向けた負レンズより構成される。
【００４５】
図８に実施例３のエクステンダレンズ群挿入時のズームレンズの（Ａ）広角端、（Ｂ）焦点距離１０２３ｍｍ、（Ｃ）望遠端における無限遠合焦時の縦収差図を示す。また、実施例３に対応する数値実施例３の数値データを後述の数値実施例３に示す。
【００４６】
表１に数値実施例３の各条件式の対応値を示す。
数値実施例３は条件式（１）〜（８）の何れも満足しており、小型軽量かつ画面中心から周辺まで高い光学性能を達成している。
【実施例４】
【００４７】
図９に実施例４のエクステンダレンズ群の断面図を示す。
実施例４は、エクステンダ倍率１．５倍のズームレンズである。エクステンダレンズ群は物体側から順に両凸の正レンズ、物体側に凸面を向けた正メニスカスレンズと物体側に凸面を向けた負メニスカスレンズの接合レンズ、像側に凸面を向けた正レンズと両凹の負レンズの接合レンズより構成される。
【００４８】
図１０に実施例４のエクステンダレンズ群挿入時のズームレンズの（Ａ）広角端、（Ｂ）焦点距離５１２ｍｍ、（Ｃ）望遠端における無限遠合焦時の縦収差図を示す。また、実施例４に対応する数値実施例４の数値データを後述の数値実施例４に示す。
【００４９】
表１に数値実施例４の各条件式の対応値を示す。
数値実施例４は条件式（１）〜（５）、（７）、（８）を満足しており、小型軽量かつ画面中心から周辺まで高い光学性能を達成している。
【実施例５】
【００５０】
図１１に実施例５のエクステンダレンズ群の断面図を示す。
実施例５は、エクステンダ倍率１．５倍のズームレンズである。エクステンダレンズ群は物体側から順に両凸の正レンズ、両凸の正レンズと両凹の負レンズの接合レンズ、両凹の負レンズと両凸の正レンズの接合レンズ、両凹の負レンズより構成される。
【００５１】
図１１に実施例５のエクステンダレンズ群挿入時のズームレンズの（Ａ）広角端、（Ｂ）焦点距離５１２ｍｍ、（Ｃ）望遠端における無限遠合焦時の縦収差図を示す。また、実施例５に対応する数値実施例５の数値データを後述の数値実施例５に示す。
【００５２】
表１に数値実施例５の各条件式の対応値を示す。
数値実施例５は条件式（１）〜（８）の何れも満足しており、小型軽量かつ画面中心から周辺まで高い光学性能を達成している。
【実施例６】
【００５３】
図１３は本発明の実施例６のエクステンダレンズ群挿入前のズームレンズの広角端、無限遠合焦時の断面図である。後述の実施例７についても同様である。
【００５４】
Ｕ１はズーミングのためには移動しない正の屈折力の第１レンズ群である。無限遠から近距離側への合焦時にＵ１の一部のレンズ群が物体側へ移動する。Ｕ２は広角端（短焦点距離端）から望遠端（長焦点距離端）へのズーミングに際して像側へ移動する負の屈折力の第２レンズ群である。Ｕ３は第２レンズ群Ｕ２に連動して移動し、変倍に伴う像面変動を補正する正の屈折力の第３レンズ群である。ＳＰは開口絞りである。Ｕ４は正の屈折力の第４レンズ群である。Ｕ４は主変倍のためには不動であるが、ズーミング時に固定であるか、または他のレンズ群や絞りの駆動に伴ってＵ４全体または一部を微小駆動させる機能を有しても良い。Ｕ４はＵ４１，Ｕ４３で構成され、Ｕ４１とＵ４３の間隔にエクステンダレンズ群を挿抜させることにより、焦点距離変位を可能としている。ＩＰは像面であり、固体撮像素子（光電変換素子）の撮像面に相当する。
【００５５】
次に、レンズ構成の説明をする。レンズ構成の説明は物体側より順に行う。
第１レンズ群Ｕ１は負レンズ３枚、正レンズ２枚、正レンズと負レンズの接合レンズ、負レンズと正レンズの接合レンズ１枚、正レンズ２枚で構成されている。フォーカシングに際して物体側から２枚目の正レンズと、正レンズと負レンズの接合レンズが移動する。第２レンズ群Ｕ２は負レンズ２枚、正レンズと負レンズの接合レンズ、正レンズ１枚から構成される。第３レンズ群Ｕ３は負レンズと正レンズの接合レンズで構成されている。第４１レンズ群Ｕ４１は正レンズ２枚、正レンズと負レンズの接合レンズで構成されている。第４３レンズ群Ｕ４３は正レンズ、負レンズと正レンズの接合レンズ、正レンズと負レンズの接合レンズ、正レンズで構成されている。
【００５６】
図１４に実施例６のエクステンダレンズ群挿入前のズームレンズの（Ａ）広角端、（Ｂ）焦点距離２８ｍｍ、（Ｃ）望遠端における無限遠合焦時の縦収差図を示す。
【００５７】
図１５は実施例６のエクステンダレンズ群の断面図である。エクステンダレンズ群挿入前の第４１レンズ群Ｕ４１と第４３レンズ群Ｕ４３の間にエクステンダレンズ群ＵＥＸＴが挿入されている。ＵＥＸＴは物体側から両凸の正レンズ、両凸の正レンズと両凹の負レンズの接合レンズ、両凸の正レンズと両凹の負レンズの接合レンズで構成されている。
【００５８】
図１６に実施例６のエクステンダレンズ群挿入時のズームレンズの（Ａ）広角端、（Ｂ）焦点距離５６ｍｍ、（Ｃ）望遠端における無限遠合焦時の縦収差図を示す。実施例６はエクステンダ倍率２．０倍のズームレンズである。
【００５９】
実施例６に対応する数値実施例６の数値データを後述の数値実施例６に示す。
表１に数値実施例６の各条件式の対応値を示す。
数値実施例６は条件式（１）〜（８）の何れも満足しており、小型軽量かつ画面中心から周辺まで高い光学性能を達成している。
【実施例７】
【００６０】
図１７に実施例７のエクステンダレンズ群の断面図を示す。
実施例７は、エクステンダ倍率２．０倍のズームレンズである。エクステンダレンズ群は物体側から順に両凸の正レンズ、物体側に凸面を向けた正メニスカスレンズ、両凸の正レンズと両凹の負メニスカスレンズの接合レンズ、両凸の正レンズと両凹の負レンズと物体側に凸面を向けた正メニスカスレンズの接合レンズより構成される。
【００６１】
図１８に実施例７のエクステンダレンズ群挿入時のズームレンズの（Ａ）広角端、（Ｂ）焦点距離５６ｍｍ、（Ｃ）望遠端における無限遠合焦時の縦収差図を示す。また、実施例７に対応する数値実施例７の数値データを後述の数値実施例７に示す。
【００６２】
表１に数値実施例７の各条件式の対応値を示す。
数値実施例７は条件式（１）〜（８）の何れも満足しており、小型軽量かつ画面中心から周辺まで高い光学性能を達成している。
【実施例８】
【００６３】
図１９は実施例８のエクステンダレンズ群挿入前のズームレンズの広角端、無限遠合焦時の断面図である。後述の実施例９についても同様である。
【００６４】
Ｕ１はズーミングのためには移動しない正の屈折力の第１レンズ群である。無限遠から近距離側への合焦時にＵ１の一部のレンズ群が物体側へ移動する。Ｕ２は広角端（短焦点距離端）から望遠端（長焦点距離端）へのズーミングに際して像側へ移動する負の屈折力の第２レンズ群である。Ｕ３は、ズーミングに際して光軸上を移動する変倍用の正の屈折力の第３レンズ群である。Ｕ４は、変倍に伴う像面変動を補正する正の屈折力の第４レンズ群である。第２レンズ群Ｕ２と第３レンズ群Ｕ３と第４レンズ群Ｕ４とで変倍レンズ群を構成する。ＳＰは開口絞りである。Ｕ５は正の屈折力の第５レンズ群である。Ｕ５は主変倍のためには不動であるが、ズーミング時に固定であるか、または他のレンズ群や絞りの駆動に伴ってＵ５全体または一部を微小駆動させる機能を有しても良い。第５レンズ群Ｕ５は第５１レンズ群Ｕ５１，第５２レンズ群Ｕ５２，第５３レンズ群Ｕ５３で構成され、第５１レンズ群Ｕ５１は防振用として光軸に対して垂直な方向に移動する機能を持つ。第５２レンズ群Ｕ５２は焦点距離変位のために挿抜自在である。ＩＰは像面であり、固体撮像素子（光電変換素子）の撮像面に相当する。第４レンズ群Ｕ４と第５１レンズ群Ｕ５１間、または第５１レンズ群Ｕ５１と第５２レンズ群Ｕ５２間にズーミング時固定かつ防振時固定の単レンズ、またはレンズ群を有してもよい。
【００６５】
次に、レンズ構成の説明をする。レンズ構成の説明は物体側より順に行う。
第１レンズ群Ｕ１は負レンズ、正レンズ、正レンズ、正レンズ、正レンズ、正レンズの計６枚で構成されている。合焦に際し、最も像側の３枚の正レンズが移動する。第２レンズ群Ｕ２は負レンズ１枚、負レンズを正レンズの接合レンズ、負レンズで構成されている。第３レンズ群Ｕ３は正レンズ、正レンズ、負レンズで構成されている。第４レンズ群Ｕ４は正レンズ、負レンズと正レンズの接合レンズで構成されている。第５１レンズ群Ｕ５１は負レンズ、正レンズ、負レンズで構成されている。第５２レンズ群Ｕ５２は負レンズと正レンズの接合レンズ、負レンズと正レンズの接合レンズで構成されている。第５３レンズ群Ｕ５３は正レンズ、負レンズと正レンズの接合レンズ、正レンズと負レンズの接合レンズ、正レンズで構成されている。
【００６６】
ここで、実施例８の防振群である第５１レンズ群Ｕ５１の有効径は、防振により像面上で光軸が１．５ｍｍ移動するときの防振群の偏心量を考慮して決定している。本実施例では、光軸に対して垂直な方向に１．００ｍｍだけ第５１レンズ群Ｕ５１を移動させると、像面上の光軸は０．７１ｍｍだけ移動する。従って、防振により１．５０ｍｍ光軸が移動するときの防振群の偏心量は２．１１ｍｍとなる。このため、本実施例の第５１レンズ群Ｕ５１の有効径は、非防振時の有効径に４．２２ｍｍを加えた値に設定している。
【００６７】
図２０に実施例８のエクステンダレンズ群挿入前のズームレンズの（Ａ）広角端、（Ｂ）焦点距離３２８ｍｍ、（Ｃ）望遠端における無限遠合焦時の縦収差図を示す。
【００６８】
図２１（Ａ）に実施例８のエクステンダレンズ群挿入前のズームレンズの望遠端、無限遠合焦時かつ防振群が非偏心時の横収差図を、図２１（Ｂ）に実施例８のエクステンダレンズ群挿入前のズームレンズの望遠端、無限遠合焦時かつ防振群を２．１１ｍｍだけ光軸に対して垂直方向へ偏芯したときの像高−４ｍｍ、０ｍｍ、＋４ｍｍの横収差図を示す。横収差図において、実線はｅ線のメリディオナル像面（ｍｅｒｉ）、点線はｅ線のサジタル像面（Ｓａｇｉ）、２点鎖線はｇ線を表している。
【００６９】
図２２は実施例８のエクステンダレンズ群の断面図である。エクステンダレンズ群挿入前の第５１レンズ群Ｕ５１と第５３レンズ群Ｕ５３の間にエクステンダレンズ群ＵＥＸＴが挿入されている。ＵＥＸＴは両凸の正レンズ、物体側に凸面を向けた正メニスカスレンズと物体側に凸面を向けた負メニスカスレンズの接合レンズ、物体側に凸面を向けた負メニスカスレンズと物体側に凸面を向けた正メニスカスレンズの接合レンズ、両凹の負レンズで構成されている。
【００７０】
図２３に実施例８のエクステンダレンズ群挿入時のズームレンズの（Ａ）広角端、（Ｂ）焦点距離６５６ｍｍ、（Ｃ）望遠端における無限遠合焦時の縦収差図を示す。実施例８はエクステンダ倍率２．０倍のズームレンズである。
【００７１】
図２４（Ａ）に実施例８のエクステンダレンズ群挿入時のズームレンズの望遠端、無限遠合焦時かつ防振群が非偏心時の横収差図を、図２４（Ｂ）に実施例８のエクステンダレンズ群挿入時のズームレンズの望遠端、無限遠合焦時かつ防振群を２．１１ｍｍだけ光軸に対して垂直方向へ偏芯したときの像高−４ｍｍ、０ｍｍ、＋４ｍｍの横収差図を示す。
【００７２】
実施例８に対応する数値実施例８の数値データを後述の数値実施例８に示す。
表１に数値実施例８の各条件式の対応値を示す。
数値実施例８は条件式（１）〜（８）の何れも満足しており、小型軽量かつ画面中心から周辺まで高い光学性能を達成している。
【実施例９】
【００７３】
図２５に実施例９のエクステンダレンズ群の断面図を示す。
実施例９は、エクステンダ倍率２．０倍のズームレンズである。エクステンダレンズ群は物体側から順に両凸の正レンズ、物体側に凸面を向けた正メニスカスレンズと物体側に凸面を向けた負メニスカスレンズの接合レンズ、物体側に凸面を向けた負メニスカスレンズと両凸の正レンズの接合レンズ、両凹の負レンズより構成される。
【００７４】
図２６に実施例９のエクステンダレンズ群挿入時のズームレンズの（Ａ）広角端、（Ｂ）焦点距離６５６ｍｍ、（Ｃ）望遠端における無限遠合焦時の縦収差図を示す。また、実施例２に対応する数値実施例９の数値データを後述の数値実施例９に示す。
【００７５】
図２７（Ａ）に実施例９のエクステンダレンズ群挿入時のズームレンズの望遠端、無限遠合焦時かつ防振群が非偏心時の横収差図を、図２７（Ｂ）に実施例９のエクステンダレンズ群挿入時のズームレンズの望遠端、無限遠合焦時かつ防振群を２．１１ｍｍだけ光軸に対して垂直方向へ偏芯したときの像高−４ｍｍ、０ｍｍ、＋４ｍｍの横収差図を示す。
【００７６】
実施例９に対応する数値実施例９の数値データを後述の数値実施例９に示す。
表１に数値実施例９の各条件式の対応値を示す。
数値実施例９は条件式（１）〜（８）の何れも満足しており、小型軽量かつ画面中心から周辺まで高い光学性能を達成している。
【００７７】
（撮像装置）
図２８は本発明の実施例１乃至９のいずれかのズームレンズを撮影光学系として用いた撮像装置（テレビカメラシステム）の要部概略図である。
【００７８】
図２８において１０１は実施例１乃至９のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用のレンズ群Ｒを有している。第１レンズ群Ｆは合焦に際し移動するレンズ群を含む。
【００７９】
変倍部ＬＺはズーミングに際して移動する少なくとも２群以上のレンズ群が含まれている。変倍部ＬＺより像側には開口絞りＳＰ、レンズ群Ｒ１、レンズ群Ｒ２、レンズ群Ｒ３が配置され、光路中より挿抜可能なエクステンダレンズ群ＩＥを有している。レンズ群Ｒ２とエクステンダレンズ群ＩＥを切り替えることで、ズームレンズ１０１の全系の焦点距離範囲を変位可能としている。また、実施例６，７では、レンズ群Ｒ２を有さず、エクステンダレンズ群ＩＥがレンズ群Ｒ１とレンズ群Ｒ３の間に挿入されることで、焦点距離範囲を変位可能としている。１１４、１１５はそれぞれ第１レンズ群Ｆ、変倍部ＬＺを光軸方向に移動するヘリコイドやカム等の駆動機構である。１１６〜１１８は駆動機構１１４、１１５及び開口絞りＳＰを電気駆動するモータ（駆動手段）である。
【００８０】
１１９〜１２１は、第１レンズ群Ｆ、変倍部ＬＺの光軸上の位置、開口絞りＳＰの絞り径等の検出のためのエンコーダやポテンショメータ、あるいはフォトセンサなどの検出器である。カメラ１２４において、１０９はカメラ１２４内の光学フィルタや色分解光学系に相当するガラスブロック、１１０はズームレンズ１０１によって形成された像を受けるＣＣＤセンサやＣＭＯＳセンサなどの固体撮像素子（光源変換素子）である。また、１１１、１２２はカメラ１２４及びズームレンズ１０１の各種駆動を制御するＣＰＵである。
【００８１】
このように本発明のズームレンズをカメラシステムに適用することにより、高い光学性能を有する撮像装置を実現している。
【００８２】
以上、本発明の好ましい実施形態について説明したが、本発明はこれらの実施形態に限定されず、その要旨の範囲内で種々の変形及び変更が可能である。例えば、本件の関与する内蔵エクステンダ付のズームレンズでは、フォーカスレンズ部の構成、ズーム部のレンズ群数やパワー配置等が本件と異なる場合でも、エクステンダレンズ群の構成には本質的に影響を与えない。これは、実施例１〜５と実施例８、９において、ズーミングに際して移動する群数が異なる場合でも、本件の実施の効果が得られることからも明らかである。また、リレー部の構成について、防振機能を有するレンズ群の有無に関わらず、本件の実施の効果が得られることも、実施例１〜５と実施例８、９から明らかである。また、図２８におけるレンズ群Ｒ１において、実施例８、９ではレンズ群Ｒ１全体が防振群となる例を示したが、Ｒ１群内に防振群の他に固定群を有し、例えばレンズ群Ｒ１が物体側から固定群、防振群で構成されてもよい。
【００８３】
（数値実施例１）
＜エクステンダレンズ群退避時＞
単位 mm
面データ
面番号       r        d      nd         vd       有効径
1       1571.411    5.91   1.90366    31.3      212.83
2        361.491    3.13                        205.43
3        389.831   20.85   1.43387    95.1      204.88
4      -1519.134   25.29                        203.52
5        379.388   19.40   1.43387    95.1      198.91
6      -1690.060    0.25                        198.64
7        270.376   20.46   1.43387    95.1      194.91
8       5840.434    1.18                        193.83
9        190.778   14.41   1.59240    68.3      182.16
10        365.545  (可変)                        180.35
11*     11015.733    2.20   2.00330    28.3       48.62
12         41.065   10.49                         41.92
13        -62.377    1.40   1.88300    40.8       41.20
14         65.176    9.88   1.95906    17.5       42.38
15        -89.087    2.72                         43.74
16        -51.909    1.60   1.83400    37.2       43.88
17       -103.320  (可変)                         46.02
18        115.185   11.58   1.59201    67.0       78.48
19*     -2087.691    0.50                         78.91
20        142.758   13.08   1.59201    67.0       80.06
21       -231.655    0.20                         79.67
22        122.793    2.50   1.80518    25.4       76.01
23         57.717   18.11   1.43387    95.1       71.57
24       -564.234    0.50                         70.45
25*       364.246    6.50   1.49700    81.5       69.33
26       -414.835  (可変)                         68.15
27(絞り)    ∞       5.89                         31.81
28       -147.172    1.40   1.81600    46.6       32.30
29         46.924    1.05                         31.20
30         37.303    4.69   1.80810    22.8       31.30
31        420.501    3.37                         30.90
32        -76.047    1.40   1.88300    40.8       30.60
33        191.170   11.30                         30.40
34        -41.223    1.78   1.65160    58.5       26.67
35        580.472    3.52   1.80518    25.4       27.78
36       -156.414    6.46                         28.43
37       -103.332    5.71   1.70154    41.2       30.13
38        -53.979   10.53                         31.42
39       -216.194    4.49   1.50137    56.4       32.25
40        -43.973    0.74                         32.44
41        -72.585    1.30   1.88300    40.8       31.89
42         61.011    9.51   1.50137    56.4       32.28
43        -35.679    0.20                         33.06
44         96.272    8.69   1.49700    81.5       32.15
45        -31.822    1.70   1.88300    40.8       31.45
46       -176.143    2.14                         31.79
47         50.459    8.14   1.48749    70.2       31.95
48        -79.751    5.00                         31.49
49          ∞      33.00   1.60859    46.4       60.00
50          ∞      13.20   1.51633    64.2       60.00
51          ∞      18.00                         60.00
像面        ∞   
非球面データ
第11面
K =-2.61129e+006  A 4= 1.14924e-006  A 6=-4.20242e-010  A 8= 7.06050e-012  A10= 1.71748e-014  A12=-3.95143e-018  A14=-2.50492e-020  A16= 2.74832e-023  
A 3=-7.41007e-007  A 5=-2.86209e-008  A 7= 4.68402e-011  A 9=-6.67517e-013  A11=-2.87644e-016  A13= 1.44174e-018  A15=-1.26241e-021  
第19面
K =-8.09196e+003  A 4= 2.70610e-007  A 6= 1.07566e-009  A 8=-3.82716e-014  A10=-1.89869e-016  A12= 1.74435e-020  A14=-2.31461e-023  A16= 5.87253e-027  
A 3=-1.02923e-007  A 5=-2.58308e-008  A 7=-1.15844e-011  A 9= 3.14187e-015  A11= 2.64931e-018  A13= 8.56747e-022  A15=-2.81713e-025  
第25面
K = 6.92275e+001  A 4=-4.53959e-007  A 6=-6.59771e-011  A 8=-3.55842e-013  A10=-1.48669e-016  A12= 8.98957e-020  A14= 6.50522e-022  A16= 1.24233e-026  
A 3= 7.06566e-007  A 5=-1.77804e-008  A 7= 3.13155e-011  A 9= 8.81552e-016  A11=-1.46851e-017  A13= 1.62371e-021  A15=-1.37737e-023  
【００８４】
各種データ
ズーム比     69.98 
広角     中間     望遠
焦点距離       8.60   341.65   601.79  
Fナンバー      1.80     1.80     3.11  
半画角        32.60     0.92     0.52  
像高           5.50     5.50     5.50  
レンズ全長   624.07   624.07   624.07  
BF            52.17    52.17    52.17  
d10            3.03   178.18   184.56  
d17          279.71    41.91    15.69  
d26            3.00    65.65    85.49  
d33           11.30    11.30    11.30  
入射瞳位置   126.14  3180.82  6438.93  
射出瞳位置   141.46   141.46   141.46  
前側主点位置 135.34  4467.89  9974.12  
後側主点位置   9.40  -323.64  -583.79  
ズームレンズ群データ
群  始面    焦点距離  レンズ構成長  前側主点位置  後側主点位置
1    1     248.14       110.88        64.60        -17.20
2   11     -27.25        28.28         3.76        -16.43
3   18      70.50        52.98        12.00        -25.30
4   27     -50.95        17.80        11.51         -2.55
5   34    -411.92        17.46       -49.56        -70.97
6   39      52.26        36.91        20.24         -4.47
7   49       ∞          46.20        14.58        -14.58
単レンズデータ
レンズ  始面  焦点距離
1       1   -516.86
2       3    715.59
3       5    714.36
4       7    651.06
5       9    651.23
6      11    -40.75
7      13    -35.70
8      14     39.99
9      16   -126.08
10      18    184.10
11      20    150.63
12      22   -136.36
13      23    121.45
14      25    390.18
15      28    -43.24
16      30     49.86
17      32    -61.11
18      34    -58.76
19      35    151.95
20      37    152.86
21      39    108.69
22      41    -37.15
23      42     46.24
24      44     49.09
25      45    -43.97
26      47     64.51
27      49      0.00
28      50      0.00
【００８５】
＜エクステンダレンズ群挿入時＞
単位 mm
面データ
面番号       r        d      nd         vd
33        191.170    6.00                             
IE 34      42.262    5.24   1.48749    70.2           
IE 35     -70.252    0.50                             
IE 36      15.752    4.86   1.51633    64.1           
IE 37      27.135    1.00   2.05090    26.9           
IE 38      16.120    5.52                             
IE 39      85.201    1.00   1.95375    32.3           
IE 40      12.663    5.08   1.78472    25.7           
IE 41    -224.130    1.64                             
IE 42     -32.247    1.00   1.81600    46.6           
IE 43     150.003    7.47                             
各種データ
広角     中間     望遠
焦点距離      17.20   683.29  1203.58  
Fナンバー      3.60     3.60     6.22  
半画角        17.73     0.46     0.26  
像高           5.50     5.50     5.50  
レンズ全長   624.07   624.07   624.07  
BF            52.17    52.17    52.17  
入射瞳位置   126.14  3180.82  6438.93  
射出瞳位置  -363.65  -363.65  -363.65  
前側主点位置 142.56  2640.80  3846.92  
後側主点位置   0.80  -665.28 -1185.58  
ズームレンズ群データ
群  始面    焦点距離  レンズ構成長  前側主点位置  後側主点位置
5   34    -467.98        25.83       350.53        188.84
単レンズデータ
レンズ  始面  焦点距離
18      34     54.78
19      36     63.25
20      37    -39.29
21      39    -15.59
22      40     15.28
23      42    -32.28
【００８６】
（数値実施例２）
＜エクステンダレンズ群挿入時＞
単位 mm
面データ
面番号       r        d      nd         vd
33        191.170    6.00                             
IE 34      34.440    4.81   1.51823    58.9           
IE 35    -142.813    0.50                             
IE 36     108.415    2.59   1.51633    64.1           
IE 37    -222.598    0.50                             
IE 38      12.251    6.46   1.48749    70.2           
IE 39      41.328    0.90   1.85896    22.7           
IE 40      10.181    4.78                             
IE 41    -172.432    0.80   2.02333    28.5           
IE 42      10.844    3.77   1.92286    18.9           
IE 43     -91.256    1.39                             
IE 44     -24.600    0.80   1.88300    40.8           
IE 45    -215.692    6.00                             
各種データ
広角     中間     望遠
焦点距離      21.49   852.47  1500.31  
Fナンバー      4.50     4.49     7.75  
半画角        14.35     0.37     0.21  
像高           5.50     5.50     5.50  
レンズ全長   624.07   624.07   624.07  
BF            52.17    52.17    52.17  
入射瞳位置   126.44  3183.32  6436.20  
射出瞳位置  -220.07  -220.07  -220.07  
前側主点位置 145.99   982.64 -1520.40  
後側主点位置  -3.54  -834.52 -1482.36  
ズームレンズ群データ
群  始面    焦点距離  レンズ構成長  前側主点位置  後側主点位置
5   34    -450.39        27.30       529.43        232.78
単レンズデータ
レンズ  始面  焦点距離
18      34     54.05
19      36    141.58
20      38     33.30
21      39    -15.94
22      41     -9.95
23      42     10.69
24      44    -31.51
【００８７】
（数値実施例３）
＜エクステンダレンズ群挿入時＞
単位 mm
面データ
面番号       r        d      nd         vd
33        191.170    6.00                             
IE 34      33.749    5.19   1.60300    65.4           
IE 35     -95.214    0.50                             
IE 36      13.066    6.10   1.49700    81.5           
IE 37      31.618    0.90   1.85896    22.7           
IE 38      12.994    7.13                             
IE 39      50.368    0.80   2.14934    28.1           
IE 40       7.829    4.01   1.89286    20.4           
IE 41     118.224    1.82                             
IE 42     -15.806    0.80   1.77250    49.6           
IE 43    -233.464    6.04                             
各種データ
広角     中間     望遠
焦点距離      25.80  1024.94  1805.38  
Fナンバー      5.40     5.40     9.33  
半画角        12.03     0.31     0.17  
像高           5.50     5.50     5.50  
レンズ全長   624.07   624.07   624.07  
BF            52.17    52.17    52.17  
入射瞳位置   126.14  3180.82  6438.93  
射出瞳位置  -178.23  -178.23  -178.23  
前側主点位置 148.55 -1147.46 -8365.26  
後側主点位置  -7.80 -1006.93 -1787.37  
ズームレンズ群データ
群  始面    焦点距離  レンズ構成長  前側主点位置  後側主点位置
5   34    -408.79        27.25       657.24        242.89
単レンズデータ
レンズ  始面  焦点距離
18      34     41.81
19      36     40.27
20      37    -26.00
21      39     -8.08
22      40      9.13
23      42    -21.88
【００８８】
（数値実施例４）
＜エクステンダレンズ群挿入時＞
単位 mm
面データ
面番号       r        d      nd         vd
33        191.170   14.07                             
IE 34     136.191    3.59   1.43875    94.9           
IE 35     -52.190    0.50                             
IE 36      26.834    4.96   1.92286    18.9           
IE 37     895.639    1.00   2.10420    17.0           
IE 38      26.175    5.05                             
IE 39     -80.943    3.13   1.95906    17.5           
IE 40     -42.972    1.00   1.65844    50.9           
IE 41      63.788    6.00                             
各種データ
広角     中間     望遠
焦点距離      12.90   512.47   902.69  
Fナンバー      2.70     2.70     4.67  
半画角        23.09     0.61     0.35  
像高           5.50     5.50     5.50  
レンズ全長   624.07   624.07   624.07  
BF            52.17    52.17    52.17  
入射瞳位置   126.14  3180.82  6438.93  
射出瞳位置 -5256.69 -5256.69 -5256.69  
前側主点位置 139.01  3643.50  7187.14  
後側主点位置   5.10  -494.47  -884.69  
ズームレンズ群データ
群  始面    焦点距離  レンズ構成長  前側主点位置  後側主点位置
5   34    -469.55        19.23       140.66         97.50
単レンズデータ
レンズ  始面  焦点距離
18      34     86.28
19      36     29.53
20      37    -24.10
21      39     90.58
22      40    -38.67
【００８９】
（数値実施例５）
＜エクステンダレンズ群挿入時＞
単位 mm
面データ
面番号       r        d      nd         vd
33        191.170    6.00                             
IE 34     515.770    3.01   1.48749    70.2           
IE 35     -54.999    0.50                             
IE 36      23.119    6.10   1.59270    35.3           
IE 37    -186.316    1.50   2.05090    26.9           
IE 38      26.596    5.00                             
IE 39    -205.192    1.00   1.48749    70.2           
IE 40      32.960    4.91   1.91650    31.6           
IE 41     -40.845    0.69                             
IE 42     -43.975    1.00   1.88300    40.8           
IE 43      51.408    9.58                             
各種データ
広角     中間     望遠
焦点距離      12.90   512.47   902.69  
Fナンバー      2.70     2.70     4.67  
半画角        23.09     0.61     0.35  
像高           5.50     5.50     5.50  
レンズ全長   624.07   624.07   624.07  
BF            52.17    52.17    52.17  
入射瞳位置   126.14  3180.82  6438.93  
射出瞳位置  4379.45  4379.45  4379.45  
前側主点位置 139.08  3753.50  7528.45  
後側主点位置   5.10  -494.47  -884.69  
ズームレンズ群データ
群  始面    焦点距離  レンズ構成長  前側主点位置  後側主点位置
5   34    -469.14        23.71       149.75        100.46
単レンズデータ
レンズ  始面  焦点距離
18      34    101.78
19      36     34.85
20      37    -21.87
21      39    -57.98
22      40     20.41
23      42    -26.55
【００９０】
（数値実施例６）
＜エクステンダレンズ群退避時＞
単位 mm
面データ
面番号       r        d      nd         vd       有効径
1*       165.849    2.50   1.77250    49.6       84.02
2         35.658   17.14                         62.23
3        313.071    1.85   1.75500    52.3       61.93
4         73.027   14.14                         58.84
5        -71.148    1.75   1.81600    46.6       58.54
6       1331.584    0.20                         61.07
7        128.367    5.44   1.76182    26.5       63.39
8      -1469.611    2.59                         63.49
9       -856.864    7.10   1.62041    60.3       63.81
10*       -75.562    0.20                         63.94
11        285.540   11.05   1.49700    81.5       62.29
12        -71.555    1.65   1.80100    35.0       62.29
13       -110.348    5.63                         62.96
14         92.439    1.65   2.00330    28.3       60.06
15         51.212   13.74   1.49700    81.5       57.65
16       -212.516    0.20                         57.51
17        105.199    8.26   1.48749    70.2       56.50
18       -130.939    0.20                         56.10
19         86.531    4.76   1.62041    60.3       51.09
20       1175.877  (可変)                         50.30
21         30.089    0.75   1.88300    40.8       24.69
22         19.190    2.63                         22.32
23         48.585    0.75   1.88300    40.8       21.91
24         17.033    5.09                         19.57
25        -45.839    6.09   1.76182    26.5       19.06
26        -11.662    0.80   1.88300    40.8       18.85
27       -159.144    0.20                         19.32
28         36.196    2.20   1.78472    25.7       19.43
29        105.945  (可変)                         19.16
30        -25.202    0.75   1.77250    49.6       17.41
31         70.191    2.45   1.80810    22.8       18.65
32       -111.781  (可変)                         21.79
33(絞り)    ∞       2.08                         23.03
34        606.277    3.24   1.60300    65.4       24.37
35        -49.197    0.20                         24.91
36      -1213.469    2.00   1.67790    55.3       25.35
37       -144.405    0.46                         25.59
38         61.784    6.26   1.51742    52.4       25.93
39        -29.707    1.20   1.80100    35.0       25.83
40        -78.694   32.00                         26.16
41         75.965    4.07   1.64850    53.0       23.57
42        -42.802    6.38                         23.31
43        -29.409    1.20   1.88300    40.8       18.63
44         23.119    4.68   1.51633    64.1       19.13
45        -52.083    0.61                         19.82
46         49.348    5.87   1.51633    64.1       20.98
47        -18.987    2.14   1.91650    31.6       21.17
48        -54.918    0.77                         22.70
49        450.627    4.19   1.66672    48.3       23.37
50        -28.732    4.00                         23.61
51          ∞      25.10   1.60859    46.4       40.00
52          ∞      13.20   1.51680    64.2       40.00
53          ∞       6.57                         40.00
像面        ∞   
非球面データ
第1面
K = 6.52240e+000  A 4= 5.29556e-008  A 6= 1.32468e-009  A 8=-2.51837e-012  A10= 2.72329e-015  A12=-1.71051e-018  A14= 5.71544e-022  A16=-7.85485e-026  
第10面
K =-1.57027e+000  A 4=-3.78300e-008  A 6= 5.09666e-010  A 8=-1.47845e-012  A10= 2.71402e-015  A12=-2.85478e-018  A14= 1.57474e-021  A16=-3.62213e-025  
【００９１】
各種データ
ズーム比     11.00 
広角     中間     望遠
焦点距離       4.70    28.20    51.70  
Fナンバー      1.90     1.90     2.39  
半画角        49.48    11.04     6.07  
像高           5.50     5.50     5.50  
レンズ全長   284.60   284.60   284.60  
BF            34.84    34.84    34.84  
d20            0.91    38.35    43.89  
d29           42.24     3.78     5.61  
d32            7.50     8.52     1.15  
入射瞳位置    36.12    75.71   101.53  
射出瞳位置   136.12   136.12   136.12  
前側主点位置  40.99   110.05   173.86  
後側主点位置   1.87   -21.63   -45.13  
ズームレンズ群データ
群  始面    焦点距離  レンズ構成長  前側主点位置  後側主点位置
1    1      30.00       100.05        47.90         36.66
2   21     -17.50        18.50         2.76        -11.35
3   30     -44.40         3.20        -0.58         -2.39
4   33      38.58        15.43         5.28         -5.56
6   41      46.77        29.93        20.87         -5.47
7   51       ∞          38.30        12.13        -12.13
単レンズデータ
レンズ  始面  焦点距離
1       1    -59.02
2       3   -126.00
3       5    -82.30
4       7    153.83
5       9    132.58
6      11    115.98
7      12   -257.28
8      14   -115.83
9      15     84.25
10      17    120.64
11      19    149.71
12      21    -61.65
13      23    -29.87
14      25     18.89
15      26    -14.21
16      28     68.47
17      30    -23.81
18      31     53.13
19      34     75.33
20      36    240.57
21      38     39.52
22      39    -59.83
23      41     42.60
24      43    -14.42
25      44     31.57
26      46     27.26
27      47    -32.35
28      49     40.46
29      51      0.00
30      52      0.00
＜エクステンダレンズ群挿入時＞
単位 mm
面データ
面番号       r        d      nd         vd
40        -78.694    4.04                             
IE 41      26.187    6.45   1.49700    81.5           
IE 42    -128.217    5.07                             
IE 43      27.206    3.93   1.49700    81.5           
IE 44     -62.463    1.00   2.02275    19.5           
IE 45     242.656    4.82                             
IE 46     -73.813    2.16   1.95906    17.5           
IE 47     -23.072    1.02   1.88300    40.8           
IE 48      16.647    3.50                             
各種データ
広角     中間     望遠
焦点距離       9.40    56.40   103.40  
Fナンバー      3.80     3.80     4.78  
半画角        30.33     5.57     3.04  
像高           5.50     5.50     5.50  
レンズ全長   284.59   284.59   284.59  
BF            34.84    34.84    34.84  
入射瞳位置    36.12    75.71   101.53  
射出瞳位置  -202.04  -202.04  -202.04  
前側主点位置  45.09   116.86   153.68  
後側主点位置  -2.83   -49.83   -96.83  
ズームレンズ群データ
群  始面    焦点距離  レンズ構成長  前側主点位置  後側主点位置
5   41    -213.27        24.46       233.87        102.77
単レンズデータ
レンズ  始面  焦点距離
23      41     44.24
24      43     38.58
25      44    -47.91
26      46     33.82
27      47    -10.76
【００９２】
（数値実施例７）
＜エクステンダレンズ群挿入時＞
単位 mm
面データ
面番号       r        d      nd         vd
40        -78.694    3.50                             
IE 41      27.433    5.15   1.49700    81.5           
IE 42    -168.370    0.20                             
IE 43      44.542    2.70   1.48749    70.2           
IE 44     184.580    2.21                             
IE 45      26.565    3.82   1.59522    67.7           
IE 46     -84.171    1.00   2.05090    26.9           
IE 47      31.167    4.04                             
IE 48      60.566    2.59   1.59551    39.2           
IE 49     -36.637    1.00   1.88300    40.8           
IE 50      10.539    2.30   1.89286    20.4           
IE 51      17.165    3.50                             
各種データ
広角     中間     望遠
焦点距離       9.40    56.40   103.40  
Fナンバー      3.80     3.80     4.78  
半画角        30.33     5.57     3.04  
像高           5.50     5.50     5.50  
レンズ全長   284.60   284.60   284.60  
BF            34.84    34.84    34.84  
入射瞳位置    36.12    75.71   101.53  
射出瞳位置  -197.44  -197.44  -197.44  
前側主点位置  45.08   116.52   152.52  
後側主点位置  -2.82   -49.82   -96.82  
ズームレンズ群データ
群  始面    焦点距離  レンズ構成長  前側主点位置  後側主点位置
5   41    -213.07        25.00       234.49        102.95
単レンズデータ
レンズ  始面  焦点距離
23      41     47.74
24      43    119.27
25      45     34.25
26      46    -21.36
27      48     38.49
28      49     -9.12
29      50     25.95
【００９３】
（数値実施例８）
＜エクステンダレンズ群退避時＞
単位 mm
面データ
面番号       r        d      nd         vd       有効径
1      -2942.188    6.00   1.83481    42.7      211.33
2        335.459    1.80                        199.55
3        335.066   23.71   1.43387    95.1      198.96
4      -1057.929    0.20                        197.57
5        525.299   14.68   1.43387    95.1      198.48
6      -2449.905   25.25                        198.59
7        377.042   20.53   1.43387    95.1      199.20
8      -1365.497    0.25                        198.66
9        306.954   16.16   1.43387    95.1      193.06
10       1716.232    1.50                        191.76
11        188.244   16.19   1.43875    94.7      180.21
12        408.078  (可変)                        178.09
13*      -532.824    2.20   2.00330    28.3       45.07
14         38.132   11.72                         38.70
15        -44.546    1.45   1.74320    49.3       37.50
16         72.565    9.77   1.89286    20.4       38.79
17        -46.484    1.63                         39.88
18        -41.758    2.00   1.88300    40.8       39.81
19       -152.608  (可変)                         42.40
20        152.336   11.49   1.72916    54.7       83.17
21*      -265.715    6.62                         83.46
22        139.888   13.50   1.43875    94.7       83.76
23       -246.304    0.50                         83.13
24        264.094    2.60   1.85478    24.8       80.16
25         97.106  (可変)                         77.38
26         86.506   15.39   1.49700    81.5       77.64
27       -236.969    0.50                         76.74
28        415.877    2.50   1.80518    25.4       73.40
29        139.362    7.85   1.60311    60.6       71.07
30*      -764.201  (可変)                         69.84
31(絞り)    ∞       5.41                         34.13
32       -162.814    1.40   1.91650    31.6       35.29
33         46.223    1.03                         34.23
34         39.449    4.13   1.92286    18.9       34.52
35        115.572    4.21                         33.90
36        -63.692    1.70   1.80400    46.5       33.37
37        -90.734    7.51                         33.44
38       -105.337    1.50   1.80400    46.5       27.55
39         32.745    5.21   1.84666    23.9       27.56
40       -548.183    5.19                         27.51
41        -36.674    1.50   1.89190    37.1       27.28
42        106.210    9.99   1.51633    64.1       28.96
43        -28.571    9.69                         31.12
44         98.656    5.65   1.51742    52.4       32.80
45        -65.821    1.40                         32.70
46       -132.760    1.50   1.88300    40.8       31.83
47         34.591    8.29   1.48749    70.2       31.42
48        -68.646    0.20                         31.93
49        108.664    7.85   1.51742    52.4       32.12
50        -33.100    1.50   1.88300    40.8       31.96
51       -121.022    0.20                         32.68
52         91.737    6.98   1.53996    59.5       32.85
53        -46.454   10.00                         32.63
54          ∞      33.00   1.60859    46.4       60.00
55          ∞      13.20   1.51633    64.2       60.00
56          ∞      13.30                         60.00
像面        ∞   
非球面データ
第13面
K = 1.99852e+000  A 4= 1.15677e-006  A 6=-2.75064e-008  A 8=-3.06848e-010  A10= 9.10515e-013  A12= 3.28486e-015  A14= 1.35261e-018  A16= 5.54400e-022  
A 3= 2.74335e-007  A 5= 9.95673e-008  A 7= 4.02226e-009  A 9= 6.12079e-012  A11=-8.52506e-014  A13=-6.85632e-017  A15=-3.84859e-020  
第21面
K = 1.21093e+001  A 4= 2.82183e-007  A 6=-5.59441e-011  A 8=-2.00796e-014  A10= 9.78964e-017  A12=-6.30815e-020  A14= 1.70834e-023  A16=-4.73901e-027  
A 3=-2.90901e-008  A 5= 1.58196e-009  A 7= 1.10620e-012  A 9=-1.50730e-015  A11= 5.86871e-020  A13= 1.04584e-022  A15= 1.44467e-025  
第30面
K =-2.23400e+002  A 4= 2.77687e-007  A 6= 4.69555e-010  A 8= 1.39733e-013  A10=-2.98156e-016  A12= 4.58582e-019  A14=-2.25443e-022  A16= 5.80568e-026  
A 3= 1.70768e-007  A 5=-5.73181e-009  A 7=-1.36230e-011  A 9= 7.92918e-015  A11=-8.14405e-018  A13= 2.06016e-021  A15=-8.57551e-025  
【００９４】
各種データ
ズーム比    120.00 
広角     中間     望遠
焦点距離       8.50   328.22  1020.00  
Fナンバー      1.75     1.75     5.30  
半画角        32.91     0.96     0.31  
像高           5.50     5.50     5.50  
レンズ全長   660.52   660.52   660.52  
BF            52.47    52.47    52.47  
d12            3.47   184.78   194.08  
d19          289.33    57.05     2.00  
d25            4.21     3.79     4.50  
d30            2.99    54.38    99.42  
入射瞳位置   133.62  3367.79 14063.25  
射出瞳位置   149.41   149.41   149.41  
前側主点位置 142.65  4487.44 22726.78  
後側主点位置   4.80  -314.92 -1006.70  
ズームレンズ群データ
群  始面    焦点距離  レンズ構成長  前側主点位置  後側主点位置
1    1     251.50       126.27        72.69        -19.27
2   13     -24.07        28.78         3.62        -16.98
3   20     134.62        34.71        -5.03        -27.55
4   26     112.37        26.24         4.27        -13.07
5   31     -73.84        17.88         7.26         -7.09
6   38     -94.37        23.39        -7.74        -27.96
7   44      50.49        33.57        18.89         -4.85
8   54       ∞          46.20        14.58        -14.58
単レンズデータ
レンズ  始面  焦点距離
1       1   -358.42
2       3    588.08
3       5    995.95
4       7    681.71
5       9    856.44
6      11    776.95
7      13    -35.11
8      15    -36.77
9      16     32.64
10      18    -65.28
11      20    133.77
12      22    205.02
13      24   -179.27
14      26    129.18
15      28   -258.97
16      29    195.31
17      32    -38.87
18      34     62.47
19      36   -272.09
20      38    -30.76
21      39     36.29
22      41    -30.22
23      42     44.57
24      44     76.86
25      46    -30.77
26      47     48.30
27      49     49.76
28      50    -51.71
29      52     57.91
30      54      0.00
31      55      0.00
【００９５】
＜エクステンダレンズ群挿入時＞
単位 mm
面データ
面番号       r        d      nd         vd
37        -90.734    4.01                             
IE 38      72.380    3.64   1.43875    94.9           
IE 39    -121.794    0.99                             
IE 40      15.424    6.31   1.56732    42.8           
IE 41      40.131    1.00   2.05090    26.9           
IE 42      14.358    7.00                             
IE 43      33.507    1.00   1.88300    40.8           
IE 44      14.126    2.95   1.95906    17.5           
IE 45      24.077    3.07                             
IE 46     -90.035    1.00   2.05090    26.9           
IE 47     338.810    9.62                             
各種データ
広角     中間     望遠
焦点距離      17.00   656.43  2039.98  
Fナンバー      3.51     3.51    10.60  
半画角        17.93     0.48     0.15  
像高           5.50     5.50     5.50  
レンズ全長   660.52   660.52   660.52  
BF            52.47    52.47    52.47  
入射瞳位置   133.62  3367.79 14063.25  
射出瞳位置  -528.46  -528.46  -528.46  
前側主点位置 150.09  3228.85  8421.77  
後側主点位置  -3.70  -643.13 -2026.68  
ズームレンズ群データ
群  始面    焦点距離  レンズ構成長  前側主点位置  後側主点位置
7   38     -60.49        26.96        51.79         15.13
単レンズデータ
レンズ  始面  焦点距離
20      38    103.81
21      40     40.19
22      41    -21.52
23      43    -28.18
24      44     30.68
25      46    -67.02
【００９６】
（数値実施例９）
＜エクステンダレンズ群挿入時＞
単位 mm
面データ
面番号       r        d      nd         vd       有効径
37        -90.734    4.14                         29.22
IE 38     103.428    3.42   1.49700    81.5       27.80
IE 39     -98.874    1.00                         27.30
IE 40      16.148    7.02   1.56883    56.4       23.80
IE 41      51.076    1.00   2.09857    36.4       21.80
IE 42      15.824    7.39                         19.70
IE 43     128.762    1.00   1.95375    32.3       18.40
IE 44      25.190    3.29   1.92286    18.9       17.80
IE 45    -243.538    1.25                         17.50
IE 46     -93.814    1.00   2.00100    29.1       16.20
IE 47      46.119   10.09                         15.90
各種データ
広角     中間     望遠
焦点距離      17.00   656.43  2039.99  
Fナンバー      3.52     3.52    10.60  
半画角        17.93     0.48     0.15  
像高           5.50     5.50     5.50  
レンズ全長   660.52   660.52   660.52  
BF            52.47    52.47    52.47  
入射瞳位置   133.62   3367.79  14063.25  
射出瞳位置  -494.80   -494.80   -494.80  
前側主点位置 150.06   3176.15   7912.70  
後側主点位置  -3.70   -643.13  -2026.69  
ズームレンズ群データ
群  始面    焦点距離  レンズ構成長  前側主点位置  後側主点位置
7   38     -60.54        26.37        51.61         15.92
単レンズデータ
レンズ  始面  焦点距離
20      38    101.99
21      40     38.52
22      41    -21.05
23      43    -32.75
24      44     24.58
25      46    -30.53
【００９７】
【表１】
2020042062.tif 000004
【符号の説明】
【００９８】
Ｕ１      第１レンズ群
Ｕ２      第２レンズ群
Ｕ３      第３レンズ群
Ｕ４      第４レンズ群
ＳＰ      開口絞り
ＵＥＸＴ  エクステンダレンズ群
【図１】
2020042062.tif 000005
【図２】
2020042062.tif 000006
【図３】
2020042062.tif 000007
【図４】
2020042062.tif 000008
【図５】
2020042062.tif 000009
【図６】
2020042062.tif 000010
【図７】
2020042062.tif 000011
【図８】
2020042062.tif 000012
【図９】
2020042062.tif 000013
【図１０】
2020042062.tif 000014
【図１１】
2020042062.tif 000015
【図１２】
2020042062.tif 000016
【図１３】
2020042062.tif 000017
【図１４】
2020042062.tif 000018
【図１５】
2020042062.tif 000019
【図１６】
2020042062.tif 000020
【図１７】
2020042062.tif 000021
【図１８】
2020042062.tif 000022
【図１９】
2020042062.tif 000023
【図２０】
2020042062.tif 000024
【図２１】
2020042062.tif 000025
【図２２】
2020042062.tif 000026
【図２３】
2020042062.tif 000027
【図２４】
2020042062.tif 000028
【図２５】
2020042062.tif 000029
【図２６】
2020042062.tif 000030
【図２７】
2020042062.tif 000031
【図２８】
2020042062.tif 000032